(57)【要約】【課題】自動運転中であっても、使用者が煩わしいと感じることが少なくなるようにしたレンジフードを提供する。【解決手段】調理器２００での調理状態を監視する調理状態監視部としての温度センサー３００と、風量が変更できる排気ファン１１６と、風量を変更するための閾値温度と、閾値温度に対応した風量を記憶した記憶部１３４と、温度センサー３００が検出した調理器２００上方の温度と閾値温度を比較して、閾値温度に対応した排気ファン１１６の風量に変更する制御部１３６と、を有し、制御部１３６は、閾値温度に対応した風量を設定する入力を受けて、入力された閾値温度に対応した風量を記憶部に記憶する、レンジフード。【選択図】図４
2020071000.tif 000002
【特許請求の範囲】
【請求項１】
調理器での調理状態を監視する調理状態監視部と、
風量が変更できる排気ファンと、
前記風量を変更するために、調理状態と当該調理状態に応じた前記風量とを記憶した記憶部と、
前記調理状態監視部が監視した調理状態と前記記憶部に記憶されている調理状態とを比較して、調理状態に応じた前記風量に変更する制御部と、
を有し、
前記制御部は、調理状態に応じた前記風量を設定するための入力を受けて、調理状態に応じた前記風量を前記記憶部に記憶させる、レンジフード。
【請求項２】
前記制御部は、あらかじめ用意された複数の前記風量の中から選択された前記風量の入力を受けて、調理状態に応じた前記風量として前記記憶部に記憶させる、請求項１に記載のレンジフード。
【請求項３】
前記制御部は、入力を受けた前記風量があらかじめ決められた最大風量を超える場合は、あらかじめ決められた最大風量を前記記憶部に記憶させる、請求項１または２に記載のレンジフード。
【請求項４】
前記制御部は、入力を受けた前記風量があらかじめ決められた最小風量未満の場合は、あらかじめ決められた最小風量を前記記憶部に記憶させる、請求項１〜３のいずれか１つに記載のレンジフード。
【請求項５】
前記記憶部は、所定の調理状態と、当該所定の調理状態に応じた前記風量として継続可能な時間である時間制限とを記憶しており、
前記制御部は、最大風量以外の前記風量で運転中に、前記調理状態監視部が監視した調理状態が前記所定の調理状態であり、かつ前記時間制限を超えて同じ前記風量が継続した場合に、前記風量を上げる、請求項１〜４のいずれか１つに記載のレンジフード。
【請求項６】
さらに、回転するフィルターを備え、
前記記憶部は、前記排気ファンの前記風量に対応した前記フィルターの回転数を記憶しており、
前記制御部は、前記記憶部に記憶されている前記排気ファンの前記風量に対応した前記回転数で前記フィルターを回転させる、請求項１〜５のいずれか１つに記載のレンジフード。
【請求項７】
前記制御部は、前記排気ファンの前記風量に対応する前記フィルターの回転数を設定するための入力を受けて、前記風量に対応する前記フィルターの回転数を前記記憶部に記憶させる、請求項６に記載のレンジフード。
【請求項８】
前記記憶部は、入力を受けて記憶された前記風量より大きな風量を必要とする所定の調理状態と、当該大きな風量を記憶しており、
前記制御部は、前記調理状態監視部が監視した調理状態が前記記憶部に記憶された前記所定の調理状態になった場合に、前記記憶部に記憶された前記所定の調理状態に応じた前記大きな風量に変更する、請求項１〜７のいずれか１つに記載のレンジフード。
【請求項９】
調理器での調理状態を監視する調理状態監視部と、
風量が変更できる排気ファンと、
前記排気ファンが排気のために作り出す気流の上流側に設けられ、回転数を変更可能な回転するフィルターと、
前記風量および前記回転数を変更するために、調理状態と当該調理状態に応じた前記風量および前記回転数を記憶した記憶部と、
前記調理状態監視部が監視した調理状態と前記記憶部に記憶されている調理状態を比較して、調理状態に応じた前記風量および前記回転数に変更する制御部と、
を有し、
前記制御部は、調理状態に応じた前記回転数を設定するための入力を受けて、調理状態に応じた前記回転数を前記記憶部に記憶する、レンジフード。
【請求項１０】
調理器での調理状態を監視する調理状態監視部と、
風量が変更できる排気ファンと、
前記風量を変更するために、調理状態と当該調理状態に応じた前記風量とを記憶した記憶部と、
自動モードとして、前記調理状態監視部が監視した調理状態と前記記憶部に記憶されている調理状態とを比較して、調理状態に応じた前記風量に変更する制御部と、を有し、
前記記憶部は、手動モードとして使用する前記風量の範囲から選択された一部の風量の範囲を前記自動モードに使用する前記風量として記憶している、レンジフード。
【請求項１１】
調理器での調理状態を監視する調理状態監視部と、
風量が変更できる排気ファンと、
前記排気ファンが排気のために作り出す気流の上流側に設けられ、回転数を変更可能な回転するフィルターと、
前記回転数を変更するために、調理状態と当該調理状態に応じた前記回転数を記憶した記憶部と、
自動モードとして、前記調理状態監視部が監視した調理状態と前記記憶部に記憶された調理状態を比較して、調理状態に応じた前記回転数に変更する制御部と、
を有し、
前記記憶部は、手動モードとして使用する前記回転数の範囲から選択された一部の回転数の範囲を前記自動モードに使用する前記回転数として記憶している、レンジフード。
【発明の詳細な説明】
【技術分野】
【０００１】
本発明はレンジフードに関する。
【背景技術】
【０００２】
従来、レンジフードに設けた温度センサーにより調理器の上方の温度を検出し、検出した温度に基づいて、レンジフードの風量を自動的に制御する自動運転機能付きのレンジフードが知られている。
【０００３】
従来の自動運転機能付きのレンジフードは、調理器上方の検出温度に基づいて回転物の回転数が適当な回転数となるように選択されている。たとえば、特許文献１では調理器上方の検出温度に基づき、回転物である排気ファンの風量が選択されている。また、特許文献２では調理器上方の検出温度に基づき、排気ファンの風量と共に、回転物である回転フィルターの回転数が選択されている。
【先行技術文献】
【特許文献】
【０００４】
【特許文献１】特開２００９−１２１７５１号公報
【特許文献２】特開２０１８−１０５５６８号公報
【発明の概要】
【発明が解決しようとする課題】
【０００５】
しかしながら、従来、自動運転時においては、回転物の回転可能領域のうち全領域を使用して回転させる仕様となっており、使用者の中には自動運転は煩わしいと感じる者がいた。
【０００６】
そこで、本発明は、自動運転中であっても、使用者が煩わしいと感じることが少なくなるようにしたレンジフードの提供を目的とする。
【課題を解決するための手段】
【０００７】
上記目的を達成するための本発明のレンジフードは、調理器での調理状態を監視する調理状態監視部と、風量が変更できる排気ファンと、風量を変更するために、調理状態と、その調理状態に応じた風量とを記憶した記憶部と、調理状態監視部が監視した調理状態と記憶部に記憶されている調理状態とを比較して、調理状態に応じた風量に変更する制御部と、を有し、制御部は、調理状態に応じた風量を設定するための入力を受けて、調理状態に応じた風量を記憶部に記憶させる。
【０００８】
また、上記目的を達成するための本発明のレンジフードは、調理器での調理状態を監視する調理状態監視部と、風量が変更できる排気ファンと、排気ファンが排気のために作り出す気流の上流側に設けられ、回転数を変更可能な回転するフィルターと、風量および回転数を変更するために、調理状態とその調理状態に応じた風量および回転数を記憶した記憶部と、調理状態監視部が監視した調理状態と記憶部に記憶されている調理状態を比較して、調理状態に応じた風量および回転数に変更する制御部と、を有し、制御部は、調理状態に応じた回転数を設定するための入力を受けて、調理状態に応じた回転数を記憶部に記憶する。
【０００９】
また、上記目的を達成するための本発明のレンジフードは、調理器での調理状態を監視する調理状態監視部と、風量が変更できる排気ファンと、風量を変更するために、調理状態とその調理状態に応じた風量とを記憶した記憶部と、自動モードとして、調理状態監視部が監視した調理状態と記憶部に記憶されている調理状態とを比較して、調理状態に応じた風量に変更する制御部と、を有し、記憶部は、手動モードとして使用する風量の範囲から選択された一部の風量の範囲を自動モードに使用する風量として記憶している。
【００１０】
また、上記目的を達成するための本発明のレンジフードは、調理器での調理状態を監視する調理状態監視部と、風量が変更できる排気ファンと、排気ファンが排気のために作り出す気流の上流側に設けられ、回転数を変更可能な回転するフィルターと、回転数を変更するために、調理状態とその調理状態に応じた回転数を記憶した記憶部と、自動モードとして、調理状態監視部が監視した調理状態と記憶部に記憶された調理状態を比較して、調理状態に応じた回転数に変更する制御部と、を有し、記憶部は、手動モードとして使用する回転数の範囲から選択された一部の回転数の範囲を自動モードに使用する回転数として記憶している。
【発明の効果】
【００１１】
本発明によれば、調理状態に応じた風量を設定する入力を受けて、入力された調理状態に応じた風量を記憶部に記憶し、調理状態監視部が監視した調理状態と、記憶部に記憶されている調理状態を比較して、調理状態に応じた風量に変更することとした。このため、自動運転を行う際は、使用者の好みの風量の範囲内で排気ファンを運転することができる。したがって、自動運転中でも、使用者が煩わしさを感じることが少なくなり、快適な空間を提供することができる。
【００１２】
また、本発明によれば、回転するフィルターがあるレンジフードでは、調理状態に応じたフィルターの回転数を設定する入力を受けて、入力された調理状態に応じたフィルターの回転数を記憶部に記憶し、調理状態監視部が監視した調理状態と、記憶部に記憶されている調理状態を比較して、調理状態に応じた回転数を変更することとした。このため、自動運転を行う際は、使用者の好みの回転数の範囲内でフィルターを運転することができる。したがって、自動運転中でも、使用者が煩わしさを感じることが少なくなり、快適な空間を提供することができる。
【００１３】
また、本発明によれば、自動モードで使用する風量の範囲を、手動モードで選択可能な風量の範囲の一部だけを用いることとした。これによりファンの回転可能領域のうち一部の領域のみ使用して運転することになるので、自動運転時に風量が大きく変化することがなくなる。これにより、自動運転中でも、使用者が煩わしさを感じることが少なくなり、快適な空間を提供することができる。
【００１４】
また、本発明によれば、回転するフィルターを自動モードで使用する際の、回転数の範囲を、手動モードで選択可能な回転数の範囲の一部だけを用いることとした。これにより回転するフィルターの回転可能領域のうち一部の領域のみ使用して運転することになるので、自動運転時に回転数が大きく変化することがなくなる。これにより、自動運転中でも、使用者が煩わしさを感じることが少なくなり、快適な空間を提供することができる。
【図面の簡単な説明】
【００１５】
【図１】本実施形態に係るレンジフードをキッチンに設置した場合の正面図である。
【図２】本実施形態に係るレンジフードをキッチンに設置した場合の側面図である。
【図３】本実施形態のレンジフード１００が備える操作パネル１２０の正面図である。
【図４】本実施形態のレンジフード１００の制御系のブロック図である。
【図５】使用者が風量を設定する簡易設定のための処理手順を示すフローチャートである。
【図６】使用者が風量を細かく設定する高度設定の処理手順を示すフローチャートである。
【発明を実施するための形態】
【００１６】
以下、図面を参照しながら本発明の実施形態を詳細に説明する。しかし、本発明は、以下の実施形態のみに限定されない。なお、各図面は説明の便宜上誇張されて表現されている。したがって、各図面における各構成要素の寸法比率は実際とは異なる。また、図面において同一の要素には同一の符号を付し、明細書において重複する説明は省略する。
【００１７】
（実施形態１）
（レンジフードの構成）
図１は、本実施形態に係るレンジフードをキッチンに設置した場合の正面図である。また、図２は、本実施形態に係るレンジフードをキッチンに設置した場合の側面図である。
【００１８】
図１および図２に示すように、本実施形態のレンジフード１００は、調理器２００の上部に設置される。レンジフード１００は調理器２００の調理時に生じる臭い、煙、油などを含む臭気や油煙を吸い込み外部に排気する。なお、例示する調理器２００は、３つの熱源２１０（３つの熱源の総称）およびグリルの吹出口２２０を有する。なお、本明細書において、熱源とは、ガス用の調理器に対してはバーナーを、ＩＨ用の調理器に対してはヒーター（ＩＨクッキングヒーターともいう）を、それぞれ意味する。なお、図においては、熱源２１０としてバーナーを示している。
【００１９】
レンジフード１００は、調理状態監視部として温度センサー３００を有する。温度センサー３００は、レンジフード１００の中央部より左側の前面側の下面に設けられていて、調理器２００の上方の温度を検出する。より具体的には、この温度センサー３００は、図示点線で示されるように、調理器２００の天面から温度センサー３００までの空間の温度を検出する。温度センサー３００は、たとえば、８×８の６４個のエリアセンサーから形成される複眼温度センサーである。したがって、この温度センサー３００は、調理器２００の天面を６４に分割して領域ごとに検出できる。本実施形態はこのような温度センサー３００によって、調理器２００での調理状態を温度の変化として監視することになる（後述する変形例および他の実施形態も同様である）。なお、本実施形態では、複眼温度センサーを用いているが、単眼温度センサーを用いてもよい。
【００２０】
レンジフード１００は、その上部に排気部１１０を備えている。排気部１１０は、調理器２００からの臭気や油煙を排気する。排気部１１０は、調理器２００からの油煙を吸い込む吸気口１１２、屋外と連通する排気口１１４、吸気口１１２と排気口１１４とを結ぶ通路内に吸気口１１２から吸い込んだ油煙を排気口１１４に排気させる排気ファン１１６を備えている。排気ファン１１６は回転物であり、ファンモーター１１７によって駆動される。また、排気ファン１１６が排気のため作り出す気流の上流側、ここでは吸気口１１２と排気ファン１１６との間には、吸気口１１２から吸い込んだ油煙から油分を取り除くフィルター１１８（ディスク）が設けられている。フィルター１１８はフィルターモーター１１９によって回転される。
【００２１】
レンジフード１００は、その上部の前面側に、レンジフード１００の動作を指示するための操作パネル１２０を備えている。
【００２２】
図３は、本実施形態のレンジフード１００が備える操作パネル１２０の正面図である。操作パネル１２０は、運転スイッチ１２１、風量スイッチ１２２、風量自動スイッチ１２３、タイマースイッチ１２４、照明スイッチ１２５、および常時換気スイッチ１２６を有する。
【００２３】
運転スイッチ１２１は、レンジフード１００を動作させるためのスイッチである。風量スイッチ１２２は、排気ファン１１６の風量を、弱、中、強に手動で切り換えるためのスイッチである。風量自動スイッチ１２３は、温度センサー３００が検出する調理器２００上方の温度に応じて、排気ファン１１６の風量およびフィルター１１８の回転数を、自動的に切り換える制御を行わせるためのスイッチである。この自動的に切り換えるモードを自動モードという。タイマースイッチ１２４は、排気ファン１１６を調理終了後に回転させる時間を設定するためのスイッチである。照明スイッチ１２５は、調理器２００の上面を照らすＬＥＤ電球の点灯／消灯させるためのスイッチである。常時換気スイッチ１２６は、排気ファン１１６を手動で回転／停止させることで常時換気の運転／停止を行うためのスイッチである。
【００２４】
図４は、本実施形態のレンジフード１００の制御系のブロック図である。レンジフード１００は、排気ファン１１６、ファンモーター１１７、フィルター１１８、フィルターモーター１１９、操作パネル１２０、制御装置１３０、および温度センサー３００を有する。
【００２５】
排気ファン１１６、ファンモーター１１７、フィルター１１８、フィルターモーター１１９、および操作パネル１２０、温度センサー３００は上記のとおりである。制御装置１３０は、レンジフード１００に内蔵されている。
【００２６】
制御装置１３０は、ガス／ＩＨ選択スイッチ１３２、記憶部１３４、および制御部１３６を有する。なお、ガス／ＩＨ選択スイッチ１３２は、操作パネル１２０に設けてもよい。
【００２７】
ガス／ＩＨ選択スイッチ１３２は、レンジフード１００が設置されるキッチンの調理器の種類がガス調理器かＩＨ調理器かを選択する選択スイッチである。ガス／ＩＨ選択スイッチ１３２は、レンジフード１００を現場に設置するときに作業者が、または、レンジフード１００の使用開始前に使用者が操作する。
【００２８】
記憶部１３４は、自動モードのときに、排気ファン１１６の風量が、調理状態に応じた風量となるように、調理状態を示す閾値温度と、その閾値温度に対応させた排気ファン１１６の風量とフィルター１１８の回転数とを記憶している。温度センサー３００が複眼センサーの場合は、領域ごとに対応させて記憶する。単眼センサーの場合は一つの領域として閾値温度を記憶する。記憶部１３４は、後述するように、標準設定時の第１閾値温度および第２閾値温度、これら閾値温度に対応した排気ファン１１６の風量とフィルター１１８の回転数を記憶するほかに、使用者が設定する閾値温度に対応した排気ファン１１６の風量とフィルター１１８の回転数なども記憶する。
【００２９】
なお、実際の制御においては、利便性を考慮し、記憶部１３４に記憶する排気ファン１１６の風量は、その風量に対応したファンモーター１１７の回転数（回転速度）を記憶し、フィルター１１８の回転数は、そのフィルター回転数に対応したフィルターモーター１１９の回転数（回転速度）を記憶しておくとよい。この場合、制御部１３６は、温度センサー３００が検出した温度と、記憶部１３４から読み出した閾値温度とを比較して、温度センサー３００が検出した温度が閾値温度になれば、その閾値温度に対応した各モーターの回転数（回転速度）となるように、各モーターを制御する。さらには、各モーターの回転数（回転速度）以外にも、モーターの仕様や制御方法に応じて、閾値温度に応じた風量やフィルター回転数にするための電圧値や電流値などを記憶しておいてもよい。
【００３０】
（制御部の動作）
本実施形態では、排気ファン１１６の風量とフィルター１１８の回転数の動作モードとして、排気ファン１１６の風量が「弱」およびフィルター１１８の回転数が「低」である第１モード、排気ファン１１６の風量が「中」およびフィルター１１８の回転数が「中」である第２モード、排気ファン１１６の風量が「強」およびフィルター１１８の回転数が「高」である第３モード、の３つのモードを備えている。手動モードにおいては、風量スイッチ１２２の操作によって、「弱」が選択されたなら第１モード、「中」が選択されたなら第２モード、「強」が選択されたなら第３モードに切り換わる。
【００３１】
また、温度センサー３００が検出する温度に応じて風量およびフィルター回転数が制御されるのが自動モードである。自動モードにおいて制御部１３６は、温度センサー３００が検出した調理器２００上方の温度と、記憶部１３４に記憶されている閾値温度とを比較して、調理器２００上方の温度が閾値温度を超えた場合に、その閾値温度に設定されている動作モードに変更する。このために、動作モードの風量およびフィルター回転数となるように、ファンモーター１１７およびフィルターモーター１１９の回転数が切り換わる。もちろん検出温度が下がった場合は、その逆の切り換えが行われる。
【００３２】
閾値温度と、動作モード（上記第１〜第３モード）との関係は、使用者による設定がなされない場合でも、自動モードとして運転できるように、標準設定（デフォルト）が記憶部１３４に記憶されている。たとえば、第１モードから第２モードに移行させるときの第１閾値温度、第２モードから第３モードに移行させるときの第２閾値温度が、あらかじめ記憶されている。第１閾値温度と第２閾値温度の関係は、第１閾値温度＜第２閾値温度となっている。この第１および第２閾値温度は、ガス用閾値温度とＩＨ用閾値温度とで異なる値が設定されていてもよい。たとえば、第１閾値温度および第２閾値温度共に、ガス調理器用の閾値温度よりもＩＨ調理器用の閾値温度の方が低い。これは、ＩＨ用の調理器２００の調理温度の方がガス用の調理器２００の調理温度よりも低く出る傾向があるからである。なお、標準設定においては、自動運転開始時の動作モードは、たとえば第１モードである。また、たとえば、標準設定として開始時の動作モードとして、前回停止時の動作モードとなるようにしてもよい。その場合、運転開始後は、検出された調理器２００上方の温度に合わせて動作モードが切り換わることになる。
【００３３】
使用者による自動モードにおける風量の設定変更について説明する。ここでは、設定変更が簡単な簡易設定と、より使用者の好みに合わせられる高度設定とがある。
【００３４】
（簡易設定）
まず、簡易設定について説明する。簡易設定は、あらかじめ選択可能な風量として複数の風量を用意しておき、その中から使用者に一部の風量を使用するように選択させて設定する。ここでは、風量が弱寄りか、強寄りかを使用者が選択できる設定とした。つまり、手動で選択できる風量「弱」、「中」、「強」のうち、弱寄りの設定は、風量「強」を使用しない設定である。一方、強寄りの設定は、風量「弱」を使用しない設定である。
【００３５】
図５は、使用者が風量を設定する簡易設定のための処理手順を示すフローチャートである。この処理は、制御部１３６が、あらかじめ記憶している簡易設定のための処理手順に基づくプログラムを実行することにより行われる。
【００３６】
制御部１３６は、操作パネル１２０から自動モードの簡易設定に入ったか否かを判断する（Ｓ１１）。自動モードの簡易設定に入るための入力は、たとえば、風量自動スイッチ１２３の長押し（たとえば３秒以上など）とする。このようなスイッチ操作は、たとえば、取扱説明書に記載しておく。また、操作パネル１２０の風量自動スイッチ１２３のところに、「３秒長押し簡易設定」などの表示を付けておいてもよい。さらには、シールなどに記載してレンジフードに貼っておいたり、使用者が任意の場所に貼れるように、そのシールを添付したりするとよい。以下で説明する入力や操作についても同様であり、入力方法や操作方法は、取扱説明書に記載したり、操作パネル１２０に表示したり、また、シールなどに記載して貼り付けたり添付したりしておくことが好ましい。
【００３７】
Ｓ１１がＮＯの場合はそのまま通常の動作を継続することになるが、たとえば、この操作（風量自動スイッチ１２３の長押し）を制御部１３６に対する割り込み動作とすることで、この操作が行われるまでは簡易設定のための処理プログラム自体が実行されない。
【００３８】
Ｓ１１がＹＥＳの場合、制御部１３６は、まず、簡易設定の処理動作に入ったことを使用者に知らせるためにビープ音（ピッ音等の断続音などでもよい）を鳴らす（Ｓ１２）。そして制御部１３６は、操作パネル１２０から弱寄りの入力があったか、強寄りの入力があったかを判断する（Ｓ１３）。
【００３９】
Ｓ１３において、制御部１３６は、弱寄りの入力があったと判断した場合（Ｓ１３：弱寄り）、運転開始時第１モードで運転、第１閾値温度に第２閾値温度を入れて、第２閾値温度を削除し、これを弱寄りの設定として記憶部１３４に記憶する（Ｓ１４）。既に説明したとおり、第１閾値温度は第１モードから第２モードに移行させるときの閾値温度である。したがって、この設定により、第１閾値温度に設定されている温度が第２閾値温度となったので、温度センサー３００で検出される温度が元の第１閾値温度に到達しても風量が切り換わることはない。一方、温度センサー３００で検出される温度が第２閾値温度と同じ温度に到達することで、第１モードから第２モードに切り換わる。すなわち風量が「弱」から「中」に切り換わることになる。また、第２モードから第３モードに移行させる第２閾値温度を削除したので、元の第２閾値温度に到達しても、第３モードへの切り換えが行われなくなるので、「強」での運転は行われなくなる。
【００４０】
一方、Ｓ１３において、制御部１３６は、強寄りの入力があったと判断した場合（Ｓ１３：強寄り）、運転開始時第２モードで運転開始、第１閾値温度を削除して、強寄りの設定を記憶部１３４に記憶する（Ｓ１５）。この設定により、運転開始時から第２モード（風量「中」）で運転が開始され、第２閾値温度に到達すると、第２モードから第３モードに切り換わる。すなわち風量が「中」から「強」に切り換わることになる。したがって、第１モード（風量「弱」）での運転は行われなくなる。
【００４１】
Ｓ１４またはＳ１５における設定後、またはＳ１３において入力がない場合（Ｓ１３：入力なし）、制御部１３６は、続いてリセットが入力されたか否かを判断する（Ｓ１６）。リセットの入力はたとえば、タイマースイッチ１２４の長押しや２度押しなどとする。リセットが入力された場合（Ｓ１６：ＹＥＳ）、制御部１３６は、記憶部１３４に設定されている自動モードの設定を標準設定に戻す（Ｓ１７）。
【００４２】
Ｓ１６において、リセットが入力されない場合（Ｓ１６：ＮＯ）、制御部１３６は、設定終了の入力があったか否かを判断して（Ｓ１８）、ここで設定終了が入力されない場合、制御部１３６は、Ｓ１３へ戻り、何らかの入力があるまで、以降の処理を繰り返す。一方、設定終了が入力された場合、制御部１３６は、使用者による自動運転の設定処理を終了する。設定終了の入力は、たとえば、風量自動スイッチ１２３の２度押しなどとする。
【００４３】
以上により使用者の好みによって、自動運転時でも、強風での動作が行われないようにしたり（弱寄り設定）、運転開始時からある程度強く（「中」以上）排気することにしたり（強寄り設定）させることができる。
【００４４】
なお、ここでは簡易設定として、弱寄りの風量「弱」および「中」を使用する選択候補と、強寄りの風量「中」および「強」を使用する選択候補を示したが、これに限らず、たとえば、風量「弱」および「強」（すなわち「中」を使用しない）の組み合わせを選択候補となるようにしてもよい。この場合、自動運転開始時を第１モードとし、第１閾値温度を削除する。これにより、風量「弱」で運転が開始され、第２閾値温度に到達すると「弱」から「強」に切り換わるようになる。
【００４５】
（高度設定）
次に、高度設定について説明する。高度設定は、たとえば、使用者が、動作モード（第１モードから第３モード）ごとに風量を任意に設定することができる。ただし、この高度設定を行うためには、ファンモーター１１７に回転数を３段階以上に変更できるか、または無段階に変更できるモーターを使用する必要がある。
【００４６】
図６は、使用者が風量を細かく設定する高度設定の処理手順を示すフローチャートである。この処理は、制御部１３６が、あらかじめ記憶している高度設定のための処理手順に基づくプログラムを実行することにより行われる。
【００４７】
制御部１３６は、操作パネル１２０から自動モードの高度設定に入ったか否かを判断する（Ｓ２１）。自動モードの高度設定に入るための入力は、たとえば、風量自動スイッチ１２３の長押し２回（たとえば３秒以上押して、１秒開けて３秒以上など）とする。このようなスイッチ操作についても、簡易設定同様に、たとえば、取扱説明書に記載しておく。また、シールなどに記載してレンジフードに貼っておいたり、使用者が任意の場所に貼れるように、そのシールを添付したりするとよい。ただし、操作パネル１２０への表示については、操作内容が長くなるため、現実的には難しいものとなるが可能であれば表示してもよい。以下、他の入力や操作も同様である。
【００４８】
Ｓ２１がＮＯの場合はそのままの通常の動作を継続することになるが、たとえば、この操作（風量自動スイッチ１２３の長押し２回）を制御部１３６に対する割り込み動作とすることで、この操作が行われるまでは高度設定のための処理プログラム自体が実行されない。
【００４９】
Ｓ２１がＹＥＳの場合、制御部１３６は、まず、高度設定の処理動作に入ったことを使用者に知らせるためにビープ音を１回（ピッ音等でもよい）鳴らす（Ｓ２２）。最初は、１回鳴らすことで、第１モードの風量変更に入ったことも示している。
【００５０】
そして制御部１３６は、操作パネル１２０から風量変更の入力があったかを判断する（Ｓ２３）。風量変更の入力は、たとえば、風量自動スイッチ１２３と風量スイッチ１２２の同時押しで風量を少なくする。風量自動スイッチ１２３とタイマースイッチ１２４の同時押しで風量を多くする。
【００５１】
Ｓ２３において、風量を少なくする入力があった場合（Ｓ２３：下げる）、制御部１３６は、この段階で風量を変更する動作モード（変更対象動作モードという。最初は第１モードである）に対するファンモーター１１７の回転数を下げるように設定し、記憶部１３４に記憶する（Ｓ２４）。一方、風量を多くする入力があった場合（Ｓ２３：上げる）、制御部１３６は、この段階での変更対象動作モード（最初は第１モード）に対するファンモーター１１７の回転数を上げるように設定し、記憶部１３４に記憶する（Ｓ２５）。なお、このようなファンモーター１１７の回転数の上げ下げの設定は、同時押しした組み合わせのスイッチが継続して押されることで、順次または連続的に、ファンモーター１１７の回転数の設定値が上げ下げされる。
【００５２】
続いて、制御部１３６は、変更対象動作モードを変更する入力を受けて（Ｓ２６：ＹＥＳ）、変更対象動作モードをインクリメントする（Ｓ２７）。動作モードを変更するための入力は、たとえば、風量自動スイッチ１２３の２度押しや３度押しなどとする。Ｓ２６でＮＯであれば入力待ちとなる。これはたとえば、前の段階で変更対象動作モードが第１モードであれば、インクリメント後は、第２モードが変更対象動作モードとなる。
【００５３】
Ｓ２３またはＳ２６において入力がない場合（Ｓ２３：入力なし、Ｓ２６：ＮＯ）、制御部１３６は、続いてリセットが入力されたか否かを判断する（Ｓ２８）。リセットの入力はたとえば、タイマースイッチ１２４の長押しや２度押しなどとする。リセットが入力された場合（Ｓ２８：ＹＥＳ）、制御部１３６は、記憶部１３４に設定されている各動作モードに対応する風量を標準設定に戻す（Ｓ３０）。
【００５４】
Ｓ２８において、リセットの入力がない場合（Ｓ２８：ＮＯ）、制御部１３６は、設定終了の入力があったか否かを判断して（Ｓ２９）、ここで設定終了が入力されない場合、制御部１３６は、Ｓ２３へ戻り、何らかの入力があるまで、以降の処理を繰り返すことになる。一方、設定終了が入力された場合、制御部１３６は、使用者による自動運転の設定処理を終了する。設定終了の入力は、たとえば、風量自動スイッチ１２３の２度押しなどとする。
【００５５】
以上により使用者の好みに合わせて自動モードにおける風量を自由に設定できるようになる。したがって、自動モードにおいて、切り換わる風量、それに伴う音の変化などが使用者の好みや予想の範囲内となるので、自動運転時に使用者が煩わしさを感じることがなくなり（または少なくなり）、使用者の好みに合った快適な空間を提供することが可能になる。
【００５６】
（変形例１）
上述した高度設定の場合、自動モードで設定変更できる風量の範囲を、手動モードで選択される風量の範囲である、「弱」、「中」、「強」よりも広い範囲から設定できるようにしてもよい。たとえば、第１モードに対する風量を下げる場合は、手動モードでの「弱」よりさらに低い風量（最小風量という）を設定できるようにする。たとえば、ＩＨ調理器の場合は風量停止（ファンモーター１１７停止）となるまで下げられるようにしてもよい。一方、ガス調理器に使用しているレンジフードにおいては、設定できる風量の下限を制限する。たとえば、ガス調理器に合わせた排気ができる最小風量をあらかじめ記憶部１３４に記憶しておき、入力された風量がこれより低ければ、記憶されている最小風量を設定する。これにより、ガス調理器においては、ガス調理器に合わせた適切な排気ができる。
【００５７】
これは、ＩＨ調理器の場合は、排気を止めても差し支えないが、ガス調理器の場合は、燃焼ガスを排気するために、排気を止めたり、極単に低くしたりすることは好ましくないためである。
【００５８】
また、第３モードに対する風量を上げる場合は、手動モードで選択可能な「強」の風量が、ファンモーター１１７の最大回転数で運用されている場合は、それ以上に回転数を上げられない。しかし、手動モードにおいて、「強」の風量が、ファンモーター１１７の最大回転数よりも低い回転数で運用されている場合は、さらに回転数を上げられる余裕がある。このような場合は、第３モードに対する風量は、ファンモーター１１７の最大回転数まで設定できるようにしてもよい。
【００５９】
また、逆に回転数を上げられる余裕がある場合でも、最大風量を制限してもよい。たとえば、あらかじめ決められた最大風量を記憶部１３４に記憶させる。そして、使用者があらかじめ決められた最大風量を超えるほど大きな風量を入力した場合でも、最大風量までに制限する。これにより、騒音が大きくなることを抑える働きがある。風量を設定している使用者は風量に対する騒音まで意識していることは少ないため、このような最大風量の制限は騒音抑制の観点から効果がある。
【００６０】
（変形例２）
また、高度設定の場合は、上述した処理手順は、閾値温度によって変更する動作モードごとの風量を変更することとしたが、これに代えて、風量は「弱」、「中」、「強」の３段階のままとして、切り換えるトリガーとなる閾値温度を変更するようにしてもよい。処理手順は、高度設定の場合と同様の流れでよく、風量の代わりに、第１閾値温度および第２閾値温度が変更されるようにする。
【００６１】
（変形例３）
更なる高度設定として、たとえば動作モードごとの風量と閾値温度の両方を変更するようにしてもよい。また、ファンモーター１１７に無段階で回転数を変更可能なモーターを使用して、動作モードごとに、風量が徐々に変わるように設定できるようにしてもよい。
【００６２】
なお、フィルター１１８の回転数については、上述した簡易設定においても、変形例１〜３を含む高度設定においても、風量の設定に合わせて第１から第３モードのとおりとする。たとえば、簡易設定では、第１モードと第２モードしか使わない場合、フィルター１１８の回転数もそれらに合わせて第１モードと第２モードの回転数となる。第２モードと第３モードしか使わない場合も同様である。また、高度設定においても同様に、変更した風量が第１モードであれば、第１モードとして決められているフィルター１１８の回転数とする。第２モード、第３モードの場合も同様にそれぞれの動作モードに対応したフィルター１１８の回転数とする。
【００６３】
（変形例４）
フィルター１１８の回転数も任意に設定できるようにしてもよい。排気ファン１１６の風量および閾値温度に、さらにフィルター１１８の回転数を変更して設定する。これにより、フィルター１１８の回転に伴う音の変化も使用者の好みの範囲内となるので、自動運転時に、使用者が感じる煩わしさを少なくすることができる。
【００６４】
（変形例５）
さらに、簡易設定および高度設定のいずれか、または両方ともに、使用者が変更できない設定を用意しておいてもよい。たとえば、上述した設定例では、第１閾値温度と第２閾値温度をトリガーに風量を変更するようにしているが、さらに、第３閾値温度を設けて、この第３閾値温度をトリガーとする風量は、使用者が変更できないものとする。第３閾値温度は、たとえば第２閾値温度よりも高く、調理器２００上方の温度が通常使用時よりも高くなった場合に対応する。そして、このような温度になった場合には、風量を最大となるように設定しておく。これにより、使用者が予期せず、調理温度が高くなって、油煙が多く発生した場合でも、十分に排気することができる。
【００６５】
なお、使用者からの設定にかかわらず、時間による制限を設けてもよい。たとえば、所定の温度（所定の調理状態）を超えた場合に、所定の温度に応じた風量をそのまま継続可能な時間を制限する。このためには、所定の温度と、制限する時間（時間制限）とを記憶部１３４に記憶しておく。そして、制御部１３６は、最大風量以外の風量で運転中に、温度センサー３００が検出した温度が所定の温度を超えていて、かつ、時間制限を超えて同じ風量が継続した場合に風量を上げる。言い換えれば、所定の温度を越えると時間の計測を開始し、計測時間が時間制限を超えてもなお所定の温度を越えた調理状態を維持していた場合には風量を上げる。
【００６６】
簡易設定において弱寄りの設定となっている場合や、高度設定において、低い風量に設定されている場合に、長い時間、排気ファン１１６の風量が少ないままであると、油煙が排気し切れない場合がある。このような場合に、この変形例５によれば、所定の温度になってからも、少ない風量が一定時間継続した場合には、風量が上がって油煙を確実に排気することができる。
【００６７】
また、このような時間制限を設けることで、できる限り風量の少ないモードでの運転を継続し、どうしても油煙を取り切れなくなるような場合にだけ、たとえば一時的に、風量を上げるようにしてもよい。これにはたとえば、時間制限を超えて風量を上げた後は、一定時間経過後、元に風量へ戻すようにしてもよい。これにより、風量が多くなることでの騒音の発生を可能な限り抑えることができる。
【００６８】
（変形例６）
また、使用者が変更した風量設定にかかわらず、例外的に風量をあらかじめ決められた風量に自動で変更されるようにしてもよい。これは、たとえば、使用者が、自動モードで使用する風量として、弱寄りを設定した場合や、元々使用者が設定できる最大風量がレンジフードで出せる最大風量未満である場合に、例外的にそれらより大きな風量で運転させるためである。これには、第２閾値温度より高い上限閾値温度と、その上限閾値温度に対応した風量をあらかじめ記憶部１３４に記憶しておく。ここで、上限閾値温度は、所定の調理状態である。そして、制御部１３６は、温度センサー３００の検出温度が上限閾値温度を超えた場合に、上限閾値温度に対応した風量となるように排気ファン１１６のファンモーター１１７を制御する。ここで、上限閾値温度に対応した風量は、たとえば手動モードで使用する「強」または排気ファン１１６およびもファンモーター１１７の仕様として設定可能な最大風量などとすることが好ましい。このような上限閾値温度に対応した風量としての「強」または最大風量は、使用者が設定した風量より大きな風量ということになる。
【００６９】
これにより、使用者が自動モードで使用する風量として、「強」ほどの風量にならない設定をした場合でも、使用者が予期しないほど調理器２００上方の温度が上がった場合には、それにより発生した油煙などを適切に排気することができる。このようなことになる事例としては、たとえば、調理器２００が３口コンロの場合、２つのコンロを使用中は、めったに上限閾値温度を超える高温なることはないが、３口のコンロ全部が使用されると、使用者が思っていないような高温なることもあるので、そのような場合に有効に機能する。
【００７０】
（変形例７）
上記変形例６のように例外的に風量を上げる場合、その例外的に大きな風量となっている時間を制限してもよい。時間制限を設けることで、例外的に大きな風量によって発生する騒音や風の影響を少なくすることができる。したがって、思わず発生した油煙を確実に除去できる共に、それにより使用者が感じる煩わしさを極力少なくすることができる。
【００７１】
（変形例８）
実施形態において説明した各スイッチの押し方（長押しや断続押し）や、同時押しの組み合わせなどはあくまでも例示であり、説明した内容に限定されるものではない。また、操作パネルについても一例であって、風量設定のために必要なキーやスイッチを設けた操作パネルを設けてもよい。
【００７２】
さらに、操作パネル１２０からの入力による設定変更だけでなく外部機器を使用して設定できるようにしてもよい。たとえば、制御部１３６に無線通信機能を設けて、外部の機器から設定できるようにしてもよい。無線通信機能としては、たとえば、ＷｉＦｉやＢｌｕｅｔｏｏｔｈ（登録商標）などが好ましい。そして、外部機器は、これら無線通信機能に対応したパソコン、タブレット、またはスマートフォンなどが使用できる。外部機器を使用した設定は、外部機器に風量と閾値温度を任意に設定するためのプログラムを入れておいて、そのプログラムから風量と閾値温度を設定する。この場合、風量については、ファンモーター機能によって段階的であったり無駄ないであったりし、閾値温度についてはファンモーター機能に合わせて、複数段階で風量が変更できるようにしたり、また無段階で風量が変わるように閾値温度を設定してもよい。このような場合、使用者が設定できる風量や閾値温度の範囲は、レンジフードの機種（品番）に合わせて、外部機器に導入するプログラムに組み込んでおくことが好ましい。これにより、使用者がレンジフードの機種に対応しないような無駄な設定をしなくてすむ。
【００７３】
外部機器により設定された風量および閾値温度は無線通信機能を通じて制御部１３６へ送られて、記憶部１３４に記憶される。なお、無線通信に限らず有線通信としてもよい。また外部機器としては、パソコン、タブレット、スマートフォンなどの汎用の機器ではなく、専用の機器を用いてもよい。専用の機器としては、たとえば、レンジフードを動作させるリモコンを用いて、様々な高度設定ができるようにしてもよい。また、たとえば、簡易設定、高度設定共に、他の設定の方法として、レンジフードにスピーカーとマイクを備え、音声により設定できるようにしてもよい。
【００７４】
以上説明した各変形例においても、実施形態１同様に自動モードでの運転中に、使用者が感じる煩わしさを少なくすることができる。
【００７５】
（実施形態２）
実施形態２は、自動モードにおけるフィルター１１８の回転数だけを使用者が任意に変更できるようにした。なお、レンジフードの構成は実施形態１と同じであるので説明は省略する。
【００７６】
フィルター１１８は回転させていることから、高速回転であると音がどうしても大きくなって煩く感じることも多くなり、逆に、低速回転であると油煙から油分を除去する性能が落ちることになる。
【００７７】
そこで、フィルター１１８の回転数は、自動モードにおいても使用者の好みに合わせることができるようにする。なお、本実施形態２では、排気のための風量は、設定されている自動モードのままで使用者が変更できない。このため自動モードにおける風量の制御は、たとえば実施形態１で説明した標準設定と同じである。
【００７８】
自動モードにおいて、フィルター１１８の回転数は、標準設定として、排気の風量と連動して第１モードから第３モードで変化する。本実施形態２では、この第１モードから第３モードのそれぞれのモードにおけるフィルター１１８の回転数を、使用者が設定できるようにする。具体的な設定方法は、既に説明した排気ファン１１６の風量を設定する場合と同様であり、たとえば、簡易設定として、回転弱寄りとして、第１モードから第２モードは回転数「弱」、第３モードで「中」にしたり、回転強寄りとして、第１モードから第２モードは回転数「中」、第３モードで「強」としたり、あるいは第１モードから第２モードは回転数「弱」、第３モードで「強」としたり、できるようする。また、まったく任意に回転数を調整できるように、高度設定できるようにしてもよい。
【００７９】
実施形態２によれば、フィルター１１８は回転数を使用者の好みに合わせて設定できるようになるので、回転物であるフィルター１１８の回転に伴い発生する、使用者が感じる煩わしさを少なくすることができる。
【００８０】
なお、このように回転フィルター１１８の回転数を使用者が任意の変更できるようにした場合、実施形態１同様に、排気ファン１１６による風量も使用者が任意の変更できるようにしてもよい。
【００８１】
（実施形態３）
実施形態３は、あらかじめ使用者が煩わしいと感じる風量を除外して自動運転できるように自動モード内の風量を設定した。なお、レンジフードの構成は実施形態１と同じであるので説明は省略する。
【００８２】
従来の自動モードで使用する風量の範囲は、手動モードで使用する風量の範囲を全て使用するように設定されていた。つまり、手動モードで使用する風量の範囲が「弱」、「中」、「強」であれば、自動モードで使用する風量の範囲も「弱」、「中」、「強」と切り換わるようになっていた。
【００８３】
本実施形態３では、手動モードで使用する風量の範囲が「弱」、「中」、「強」であれば、自動モードで使用する風量として、あらかじめ「弱」、「中」の２段階のみとしておくのである。この場合、風量を切り換えるための閾値温度は上述した第１閾値温度に相当する閾値温度のみ設定（記憶部１３４に記憶）しておけばよい。そして制御部１３６は設定されている閾値温度と温度センサー３００の検出した温度を比較して、第１モード（「弱」）から第２モード（「中」）へ切り換える。もちろん検出温度が下がった場合は、その逆の切り換えが行われる。
【００８４】
これにより自動的に「強」にまで切り換わることがなくなるので、風量が急に強くなったり、音が大きくなったりしなくなる。このためこのような「強」風量への変化がなくなるだけでも、自動運転時に、使用者が感じる煩わしさを少なくすることができる。
【００８５】
なお、この場合、フィルター１１８の制御も行っている場合は、実施形態１同様に、第１モードおよび第２モードに合わせて、フィルター１１８の回転も制御されることになる。
【００８６】
また逆に、手動モードで使用する風量が「弱」、「中」、「強」であれば、自動モードで使用する風量として、あらかじめ「中」と「強」の２段階のみとしておいてもよい。この場合、風量を切り換えるための閾値温度は上述した第２閾値温度に相当する閾値温度のみ設定（記憶部１３４に記憶）しておけばよい。そして制御部１３６は設定されている閾値温度と温度センサー３００の検出した温度を比較して、第２モード（「中」）から第３モード（「強」）へ切り換える。もちろん検出温度が下がった場合は、その逆の切り換えが行われる。これにより自動的に「弱」が使用されなくなる。これは、使用者によっては、「弱」風量の場合に音が小さいために、排気されているのか実感ができず、自動モードは排気が行われているのかわかり辛くて嫌だという使用者もいるため、そのような使用者が感じる煩わしさを少なくすることができる。
【００８７】
本実施形態３によれば、手動モードで切り換え可能な風量の範囲の中から、一部の風量の範囲のみ用いて自動モードの風量を変えることとした。これにより手動運転時には、使用者が意図して「強」または「弱」に切り換えるため、選択可能な風量の範囲の最大や最小が使用されても煩わしさを感じることはない。一方、自動モードにおいて、最大（「強」）または最小（「弱」）が使用されないようにしている。このため、自動運転時に大きな風量変化やそれに伴う音の変化が少なくなり、使用者が自動運転を煩わしく感じることが少なくなる。
【００８８】
（実施形態４）
実施形態４は、回転するフィルター１１８についても、実施形態３同様に、あらかじめ使用者が煩わしいと感じる回転数を除外して自動運転できるように自動モード内のフィルター１１８の回転数を設定した。なお、レンジフードの構成は実施形態１と同じであるので説明は省略する。また、排気ファン１１６の制御は実施形態１および実施形態３のように、フィルター１１８とは別に制御するようにしてもよい。いずれも既に説明した形態であるので、説明は省略する。
【００８９】
従来のフィルター１１８の回転数（以下、単に回転数という）は、手動モードにおいても、風量を切り換えたときに連動して切り換わる。このため、自動モードで使用するフィルター１１８の回転数の範囲も、手動モードで切り換わる回転数の範囲を全て使用するように設定されていた。つまり、手動モードで使用する回転数の範囲が「弱」、「中」、「強」であれば、自動モードで使用する回転数の範囲も「弱」、「中」、「強」と切り換わるようになっていた。
【００９０】
本実施形態４では、手動モードで使用する回転数の範囲が「弱」、「中」、「強」であれば、自動モードで使用する回転数として、あらかじめ「弱」、「中」の２段階のみとしておくのである。この場合、回転数を切り換えるための閾値温度は、上述した風量切り換えのための第１閾値温度に相当する閾値温度のみ設定（記憶部１３４に記憶）しておけばよい。そして制御部１３６は設定されている閾値温度と温度センサー３００の検出した温度を比較して、第１モード（「弱」）から第２モード（「中」）へ切り換える。もちろん検出温度が下がった場合は、その逆の切り換えが行われる。
【００９１】
これにより自動的に「強」にまで切り換わることがなくなるので、回転数が急に強くなって、音が大きくなったりしなくなる。このためこのような「強」回転数への変化がなくなるだけでも、自動運転時に、使用者が感じる煩わしさを少なくすることができる。
【００９２】
また逆に、手動モードで使用する回転数が「弱」、「中」、「強」であれば、自動モードで使用する回転数として、あらかじめ「中」と「強」の２段階のみとしておいてもよい。この場合、回転数を切り換えるための閾値温度は上述した第２閾値温度に相当する閾値温度のみ設定（記憶部１３４に記憶）しておけばよい。そして制御部１３６は設定されている閾値温度と温度センサー３００の検出した温度を比較して、第２モード（「中」）から第３モード（「強」）へ切り換える。もちろん検出温度が下がった場合は、その逆の切り換えが行われる。これにより自動的に「弱」が使用されなくなる。これは、使用者によっては、「弱」回転数の場合に油煙からの油の除去効果が低くなると嫌だという使用者もいるため、そのような使用者が感じる煩わしさを少なくすることができる。
【００９３】
本実施形態４によれば、手動モードで切り換え可能な回転数の範囲の中から、一部の回転数の範囲のみ用いて自動モードの回転数を変えることとした。これにより手動運転時には、使用者が意図して「強」または「弱」に切り換えるため、選択可能な回転数の範囲の最大や最小が使用されても煩わしさを感じることはない。一方、本実施形態３では、自動モードにおいて、選択可能な回転数の範囲の中の最大（「強」）や最小（「弱」）が使用されないようにしている。このため、自動運転時に大きな回転数変化やそれに伴う音の変化が少なくなり、使用者が自動運転を煩わしく感じることが少なくなる。
【００９４】
以上、本発明の実施形態を述べたが、本発明は、上記の各実施形態や変形例に限定されるものではない。
【００９５】
たとえば、風量の範囲として「弱」、「中」、「強」の３段階として説明したが、４段階や５段階、さらに複数の段階が使用できるレンジフードにも適用可能であり、また、段階的に変化するものだけでなく連続的に風量が変化するレンジフードにも適用可能である。また、フィルター１１８の回転数の範囲も、「弱」、「中」、「強」の３段階として説明したが、４段階や５段階、さらに複数の段階が使用できるレンジフードにも適用可能であり、また、段階的に変化するものだけでなく連続的に回転数が変化するレンジフードにも適用可能である。
【００９６】
また、回転するフィルター１１８（ディスク）を設けた例を説明したが、フィルターは回転しないフィルターであってもよいし、フィルターそのものがないレンジフードにも適用可能である。これらの場合、フィルターの回転制御は行われない。
【００９７】
また、上述した実施形態や変形例では、調理状態監視部として、レンジフードに設けた温度センサーを使用したが、調理状態監視部は、その他に、たとえば、調理器自体に設置した温度センサーを使用することとしてもよい。また、調理状態監視部としては、温度センサー以外にも、たとえば、調理器に載せられた物の色彩を検出する色彩センサー、調理器に載せられた物が発する音を検出する音センサー、調理器とレンジフードの間の空間に存する粒子を検出する粒子センサー、調理器とレンジフードの間の空間に存する煙を検出する煙センサー、調理器で選択された調理メニュー情報、および調理器の運転状態を検出する調理器運転状態センサー、さらには、これらいずれかを組合せた情報に基づいて調理状態を監視してもよい。
【００９８】
さらに本発明は、特許請求の範囲に記載された技術的思想に基づいて様々な形態として実施可能であり、それらもまた本発明の範疇であることは言うまでもない。
【符号の説明】
【００９９】
１００  レンジフード、
１１０  排気部、
１１２  吸気口、
１１４  排気口、
１１６  排気ファン、
１１７  ファンモーター、
１１８  フィルター、
１１９  フィルターモーター、
１２０  操作パネル、
１２１  運転スイッチ、
１２２  風量スイッチ、
１２３  風量自動スイッチ、
１２４  タイマースイッチ、
１２５  照明スイッチ、
１２６  常時換気スイッチ、
１３０  制御装置、
１３２  ガス／ＩＨ選択スイッチ、
１３４  記憶部、
１３６  制御部、
２００  調理器、
２１０  熱源、
２２０  グリルの吹出口、
３００  温度センサー。
【図１】
2020071000.tif 000003
【図２】
2020071000.tif 000004
【図３】
2020071000.tif 000005
【図４】
2020071000.tif 000006
【図５】
2020071000.tif 000007
【図６】
2020071000.tif 000008